(57)【要約】【課題】通常処理のための操作画面と商品販売処理のための操作画面とを容易かつ迅速に切換えて使用することができ、処理効率の大幅な向上が図れるコンピュータとそのプログラムおよびコンピュータシステムを提供する。【解決手段】オペレーティングシステムの起動に伴い、商品販売処理用のアプリケーションプログラムを起動するとともに、当該コンピュータの通常処理のための第１デスクトップ画面を画面切換指定用の第１パターンと共に表示する。この表示中の第１パターンが操作されると、上記起動したアプリケーションプログラムによる商品販売処理のための第２デスクトップ画面を画面切換指定用の第２パターンと共に第１デスクトップ画面および第１パターンの表示に換えて表示する。この表示中の第２パターンが操作されると、第１デスクトップ画面および第１パターンを第２デスクトップ画面および第２パターンの表示に換えて表示する。【選択図】図１
2013182571.tif 000002
【特許請求の範囲】
【請求項１】
表示手段と、
管理用のオペレーティングシステムおよび商品販売処理用のアプリケーションプログラムを記憶した記憶手段と、
前記オペレーティングシステムの起動に伴い、前記アプリケーションプログラムを起動する第１制御手段と、
前記オペレーティングシステムの起動に伴い、当該コンピュータの通常処理のための第１デスクトップ画面を画面切換指定用の第１パターンと共に前記表示手段で表示する第２制御手段と、
前記表示中の第１パターンが操作されたとき、前記起動したアプリケーションプログラムによる商品販売処理のための第２デスクトップ画面を画面切換指定用の第２パターンと共に前記第１デスクトップ画面および前記第１パターンの表示に換えて前記表示手段で表示する第３制御手段と、
前記表示中の第２パターンが操作されたとき、前記第１デスクトップ画面および前記第１パターンを前記第２デスクトップ画面および前記第２パターンの表示に換えて前記表示手段で表示する第４制御手段と、
を備えることを特徴とするコンピュータ。
【請求項２】
前記第１制御手段は、前記オペレーティングシステムの起動に伴い、そのオペレーティングシステム上で前記アプリケーションプログラムを起動する、
ことを特徴とする請求項１に記載のコンピュータ。
【請求項３】
前記記憶手段は、管理用のオペレーティングシステム、商品販売処理用のアプリケーションプログラム、および当該コンピュータの通常処理用のアプリケーションプログラムを記憶している、
ことを特徴とする請求項１に記載のコンピュータ。
【請求項４】
前記第１デスクトップ画面は、当該コンピュータ内の各種ファイルを操作するとともに、前記通常処理用のアプリケーションの起動・終了を操作する、
ことを特徴とする請求項３に記載のコンピュータ。
【請求項５】
表示手段を有するとともに管理用のオペレーティングシステムおよび商品販売処理用のアプリケーションプログラムを記憶したコンピュータに、
前記オペレーティングシステムの起動に伴い、前記アプリケーションプログラムを起動する第１制御機能と、
前記オペレーティングシステムの起動に伴い、当該コンピュータの通常処理のための第１デスクトップ画面を画面切換指定用の第１パターンと共に前記表示手段で表示する第２制御機能と、
前記表示中の第１パターンが操作されたとき、前記起動したアプリケーションプログラムによる商品販売処理のための第２デスクトップ画面を画面切換指定用の第２パターンと共に前記第１デスクトップ画面および前記第１パターンの表示に換えて前記表示手段で表示する第３制御機能と、
前記表示中の第２パターンが操作されたとき、前記第１デスクトップ画面および前記第１パターンを前記第２デスクトップ画面および前記第２パターンの表示に換えて前記表示手段で表示する第４制御機能と、
を実現させることを特徴とするプログラム。
【請求項６】
表示手段を有するコンピュータおよびサーバを含むコンピュータ商品販売処理システムであって、
管理用のオペレーティングシステムおよび商品販売処理用のアプリケーションプログラムを記憶した記憶手段と、
前記オペレーティングシステムの起動に伴い、前記アプリケーションプログラムを起動する第１制御手段と、
前記オペレーティングシステムの起動に伴い、当該コンピュータの通常処理のための第１デスクトップ画面を画面切換指定用の第１パターンと共に前記表示手段で表示する第２制御手段と、
前記表示中の第１パターンが操作されたとき、前記起動したアプリケーションプログラムによる商品販売処理のための第２デスクトップ画面を画面切換指定用の第２パターンと共に前記第１デスクトップ画面および前記第１パターンの表示に換えて前記表示手段で表示する第３制御手段と、
前記表示中の第２パターンが操作されたとき、前記第１デスクトップ画面および前記第１パターンを前記第２デスクトップ画面および前記第２パターンの表示に換えて前記表示手段で表示する第４制御手段と、
を備え、前記各手段のうち、少なくとも１つの手段を前記コンピュータが含み、そのコンピュータが含む手段を除く残りの手段を前記サーバが含むことを特徴とするコンピュータシステム。
【発明の詳細な説明】
【技術分野】
【０００１】
本発明の実施形態は、商品販売処理機能を備えたコンピュータとそのプログラムおよびコンピュータシステムに関する。
【背景技術】
【０００２】
店舗における商品のチェックアウト業務を支援する商品販売処理装置たとえばＰＯＳ（Point Of Sales）端末は、専用に開発されたアプリケーションプログラムを搭載している。
【０００３】
このＰＯＳ端末専用のアプリケーションプログラムをコンピュータたとえばパーソナルコンピュータに搭載し、そのパーソナルコンピュータを例えば事務などの通常処理と商品販売処理とに併用することができれば、便利である。この場合、通常処理ではパーソナルコンピュータ本来の操作画面であるデスクトップ画面をディスプレイで表示し、商品販売処理ではそのデスクトップ画面に換えて商品販売処理用の操作画面を表示する必要がある。
【先行技術文献】
【特許文献】
【０００４】
【特許文献１】特開２００７−３３４５２５号公報
【発明の概要】
【発明が解決しようとする課題】
【０００５】
パーソナルコンピュータを通常処理と商品販売処理に汎用的に使用する場合、その処理ごとの操作画面をどのように表示するかが、良好な操作性を確保する上で重要な要素となる。
【０００６】
本発明の実施形態の目的は、通常処理のための操作画面と商品販売処理のための操作画面とを容易かつ迅速に切換えて使用することができ、処理効率の大幅な向上が図れるコンピュータとそのプログラムおよびコンピュータシステムを提供することである。
【課題を解決するための手段】
【０００７】
本発明の実施形態のコンピュータは、表示手段と、管理用のオペレーティングシステムおよび商品販売処理用のアプリケーションプログラムを記憶した記憶手段と、上記オペレーティングシステムの起動に伴い、上記アプリケーションプログラムを起動する第１制御手段と、上記オペレーティングシステムの起動に伴い、当該コンピュータの通常処理のための第１デスクトップ画面を画面切換指定用の第１パターンと共に前記表示手段で表示する第２制御手段と、この表示中の第１パターンが操作されたとき、上記起動したアプリケーションプログラムによる商品販売処理のための第２デスクトップ画面を画面切換指定用の第２パターンと共に上記第１デスクトップ画面および上記第１パターンの表示に換えて上記表示手段で表示する第３制御手段と、この表示中の第２パターンが操作されたとき、上記第１デスクトップ画面および上記第１パターンを上記第２デスクトップ画面および上記第２パターンの表示に換えて上記表示手段で表示する第４制御手段と、を備える。
【図面の簡単な説明】
【０００８】
【図１】一実施形態の外観を示す図。
【図２】一実施形態の制御回路のブロック図。
【図３】一実施形態の制御を説明するためのフローチャート。
【図４】一実施形態のＰＣ用デスクトップ画面を示す図。
【図５】一実施形態のＰＯＳ用デスクトップ画面を示す図。
【図６】一実施形態の変形例を示す図。
【発明を実施するための形態】
【０００９】
以下、一実施形態について図面を参照して説明する。  
図１において、１はパーソナルコンピュータの本体で、表示手段としてディスプレイ２、操作手段としてキーボード３およびマウスポインタ４を有するとともに、商品販売処理用の手持式スキャナ５、プリンタ６、ドロワ７を付属して備える。マウスポインタ４、手持式スキャナ５、プリンタ６、ドロワ７については、本体１にＵＳＢ接続している。手持式スキャナ５は、商品に付されたバーコードを光学的に読取る。プリンタ６は、レシートおよびジャーナルをプリントする。ドロワ７は現金等を収容する。
【００１０】
本体１の制御回路およびその周辺部を図２に示す。  
制御部として機能するＣＰＵ１０に、ディスプレイ２およびキーボード３を接続するとともに、記憶手段としてＲＯＭ１１、ＲＡＭ１２、ハードディスクドライブ１３を接続する。さらに、ＣＰＵ１０に、ＵＳＢインタフェース１４を介して上記マウスポインタ４、手持式スキャナ５、プリンタ６、ドロワ７を接続する。
【００１１】
上記ＲＯＭ１１は、管理用のオペレーティングシステム（ＯＳ）および各種制御プログラムを記憶している。また、ＲＯＭ１１またはハードディスクドライブ１３に、当該パーソナルコンピュータの通常処理のための１つまたは複数のＰＣ用アプリケーションプログラム（第１アプリケーションプログラム）、商品販売処理のための少なくとも１つのＰＯＳ用アプリケーションプログラム（第２アプリケーションプログラム）を記憶している。このＰＯＳ用アプリケーションプログラムは、本来はＰＯＳ端末専用に開発されたものであるが、上記オペレーティングシステム上で起動することができる。
【００１２】
そして、ＣＰＵ１０は、主要な機能として次の（１）〜（４）の手段を有する。  
（１）上記オペレーティングシステムの起動に伴い、そのオペレーティングシステム上で上記ＰＯＳ用アプリケーションプログラムを起動する第１制御手段。
【００１３】
（２）上記オペレーティングシステムの起動に伴い、当該コンピュータの通常処理のためのＰＣデスクトップ画面（第１デスクトップ画面）を画面切換指定用のＰＯＳ画面指定パターン（第１パターン）と共にディスプレイ２で表示する第２制御手段。ＰＣデスクトップ画面は、当該コンピュータ内の各種ファイルを操作したり、上記通常処理用のＰＣ用アプリケーションの起動・終了を操作するためのものである。
【００１４】
（３）上記表示中のＰＯＳ画面指定パターンがマウスポインタ４によりクリック操作されたとき、上記起動したＰＯＳ用アプリケーションプログラムによる商品販売処理のためのＰＯＳデスクトップ画面を画面切換指定用のＰＣ画面指定パターン（第２パターン）と共にＰＣデスクトップ画面およびＰＯＳ画面指定パターンの表示に換えてディスプレイ２で表示する第３制御手段。
【００１５】
（４）上記表示中のＰＣ画面指定パターンが操作されたとき、上記ＰＣデスクトップ画面およびＰＯＳ画面指定パターンを上記ＰＯＳデスクトップ画面およびＰＣ画面指定パターンの表示に換えてディスプレイ２で表示する第４制御手段。
【００１６】
つぎに、図３のフローチャートを参照しながら制御について説明する。  
電源投入時にオペレーティングシステムを起動し（ステップ１０１）、その起動が完了したところで（ステップ１０２のＹＥＳ）、商品販売処理用のＰＯＳ用アプリケーションプログラムを起動するとともに（ステップ１０３）、表示管理フラグｆを“０”とする（ステップ１０４）。
【００１７】
終了操作がなく（ステップ１０５のＮＯ）、表示管理フラグｆが“０”であれば（ステップ１０６のＹＥＳ）、図４に示すＰＣデスクトップ画面（ＰＣ操作画面）２０をディスプレイ２で表示する（ステップ１０７）。そして、ＰＣデスクトップ画面２０の操作に応じた処理を実行する（ステップ１０８）。ＰＣデスクトップ画面２０は、日時情報２１、ＰＯＳ画面指定パターン２２、各種ＰＣ用アプリケーションプログラムのアイコン２３，２４，２５，２６，２７の表示を含むとともに、処理画面２６ｗ，２７ｗおよびタブ２３ｔ，２４ｔ，２５ｔの表示を含むもので、オペレーティングシステムの起動に伴いＣＰＵ１０が生成してＲＡＭ１２に保持する。処理画面２６ｗ，２７ｗは、アイコン２６，２７に対応する２つのＰＣ用アプリケーションプログラムのもので、視認および作業が可能なように開いた状態にある。タブ２３ｔ，２４ｔ，２５ｔは、アイコン２４，２４，２５に対応する３つのＰＣ用アプリケーションプログラムの処理画面が閉じて隠れている状態を示している。
【００１８】
このＰＣデスクトップ画面２０の表示に際し、そのＰＣデスクトップ画面２０内のＰＯＳ画面指定パターン２２がクリック操作されるかどうかを監視する（ステップ１０９）。ＰＯＳ画面指定パターン２２のクリック操作がなければ（ステップ１０９のＮＯ）、上記ステップ１０５の終了操作確認に戻る（ステップ１０５）。終了操作がなければ（ステップ１０５のＹＥＳ）、表示管理フラグｆを確認する（ステップ１０６）。この場合、表示管理フラグｆはまだ“０”なので（ステップ１０６のＹＥＳ）、ＰＣデスクトップ画面２０の表示を続ける（ステップ１０７）。
【００１９】
ＰＣデスクトップ画面２０を表示しているとき、そのＰＣデスクトップ画面２０内のＰＯＳ画面指定パターン２２がクリック操作されると（ステップ１０９のＹＥＳ）、図５に示すＰＯＳデスクトップ画面（ＰＯＳ操作画面）３０をＰＣデスクトップ画面２０の表示に換えてディスプレイ２で表示するとともに（ステップ１１０）、表示管理フラグｆを“１”とする（ステップ１１１）。そして、ＰＯＳデスクトップ画面３０の操作に応じた処理を実行する（ステップ１１２）。ＰＯＳデスクトップ画面３０は、日時情報３１およびＰＣ画面指定パターン３２の表示を含むとともに、商品の販売処理に必要な操作パターンおよび情報表示欄の表示を含むもので、上記ＰＯＳ用アプリケーションプログラムの起動に伴いＣＰＵ１０が生成してＲＡＭ１２に保持する
このＰＯＳデスクトップ画面３０の表示に際し、そのＰＯＳデスクトップ画面３０内のＰＣ画面指定パターン３２がクリック操作されるかどうかを監視する（ステップ１１３）。ＰＣ画面指定パターン３２のクリック操作がなければ（ステップ１１３のＮＯ）、上記ステップ１０５の終了操作確認に戻る（ステップ１０５）。終了操作がなければ（ステップ１０５のＹＥＳ）、表示管理フラグｆを確認する（ステップ１０６）。この場合、表示管理フラグｆが“１”に変わっているので（ステップ１０６のＮＯ）、ＰＯＳデスクトップ画面３０の表示を続ける（ステップ１１０）。
【００２０】
ＰＯＳデスクトップ画面３０を表示しているとき、そのＰＯＳデスクトップ画面３０内のＰＣ画面指定パターン３２がクリック操作されると（ステップ１１３のＹＥＳ）、上記ステップ１０４に戻って表示管理フラグｆを“０”とする。そして、終了操作がなければ（ステップ１０５のＹＥＳ）、表示管理フラグｆを確認する（ステップ１０６）。この場合、表示管理フラグｆが“０”に変わっているので（ステップ１０６のＹＥＳ）、ＰＣデスクトップ画面２０の表示に戻る（ステップ１１０）。
【００２１】
ＰＣデスクトップ画面２０またはＰＯＳデスクトップ画面３０において終了操作があった場合（ステップ１０５のＹＥＳ）、起動中の全てのアプリケーションプログラムを終了し（ステップ１１４）、オペレーティングシステムを停止する（ステップ１１５）。
【００２２】
以上のように、オペレーティングシステムの起動に伴いＰＣデスクトップ画面２０を表示し、かつＰＯＳ用アプリケーションプログラムを起動してＰＯＳデスクトップ画面３０を保持しておき、これらＰＣデスクトップ画面２０およびＰＯＳデスクトップ画面３０の表示を各々の画面中のＰＯＳ画面指定パターン２２およびＰＣ画面指定パターン３２の操作に応じて互いに切換えることにより、通常処理のためのＰＣデスクトップ画面２０と商品販売処理のためのＰＯＳデスクトップ画面３０とを容易かつ迅速に切換えて使用することができる。
【００２３】
したがって、店舗内に買物客がいないときはＰＣデスクトップ画面２０で事務処理を行い、買物客が現れるとすぐにＰＯＳデスクトップ画面３０に切換えて商品販売処理を行い、買物客がいなくなるとＰＣデスクトップ画面２０に戻ってまた事務処理を行うといった使い方が可能となり、処理効率が大幅に向上する。
【００２４】
なお、上記実施形態では、操作手段としてマウスポインタ４を用いたが、ディスプレイ２がタッチパネル式ディスプレイである場合には、マウスポインタ４によるクリック操作に代えてディスプレイに対するタッチ操作を行ってもよい。
【００２５】
また、変形例として、当該パーソナルコンピュータの機能や構成の一部を外部のサーバに設けることも可能である。このシステムを構築する場合、例えばクラウドコンピューティングを利用できる。より具体的には、ＳａａＳ（software as a service）と称されるソフトウェア提供形態が適する。このクラウドシステムを利用する場合の構成を図６に示す。決済システム２００は、クラウド２０１、複数の端末２０２および複数の通信ネットワーク２０３、および互いに通信接続された複数のサーバ２０４を有する。これら端末２０２、通信ネットワーク２０３、およびサーバ２０４は、それぞれ１つのみでもよい。端末２０２は、通信ネットワーク２０３を介してクラウド２０１と通信可能である。端末２０２としては、当該パーソナルコンピュータ、携帯電話装置、携帯情報端末（ＰＤＡ）、あるいはスマートフォンなどを適宜に利用できる。通信ネットワーク２０３としては、インターネット、プライベートネットワーク、次世代ネットワーク（ＮＧＮ）、あるいはモバイルネットワークなどを適宜に利用できる。
【００２６】
この決済システム２００において、当該パーソナルコンピュータが持つ機能や構成のうち、少なくとも１つをサーバ２０４に設け、そのサーバ２０４に設けない残りの機能や構成を端末２０２に設ける。サーバ２０４に設ける機能や構成は、１つのサーバ２０４に配置してもよいし、複数のサーバ２０４に分散して配置してもよい。
【００２７】
その他、上記実施形態および変形例は、例として提示したものであり、発明の範囲を限定することは意図していない。この新規な実施形態および変形例は、その他の様々な形態で実施されることが可能であり、発明の要旨を逸脱しない範囲で、種々の省略、書き換え、変更を行うことができる。これら実施形態や変形は、発明の範囲は要旨に含まれるとともに、特許請求の範囲に記載された発明とその均等の範囲に含まれる。
【符号の説明】
【００２８】
１…本体、２…ディスプレイ（表示手段）、３…キーボード（操作部）、４…マウスポインタ、５…スキャナ、６…プリンタ、７…ドロワ、１０…ＣＰＵ、１１…ＲＯＭ、１２…ＲＡＭ、１３…ハードディスクドライブ、１４…ＵＳＢインタフェース
【図１】
2013182571.tif 000003
【図２】
2013182571.tif 000004
【図３】
2013182571.tif 000005
【図４】
2013182571.tif 000006
【図５】
2013182571.tif 000007
【図６】
2013182571.tif 000008